【手続補正書】
【提出日】平成23年12月2日(2011.12.2)
【手続補正１】
【補正対象書類名】特許請求の範囲
【補正対象項目名】全文
【補正方法】変更
【補正の内容】
【特許請求の範囲】
【請求項１】
コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを設定する設定手段を備える
情報処理装置。
【請求項２】
前記基本ストリームと前記拡張ストリームは、それぞれ、H.264 AVC/MVCの符号化方式によってビデオストリームが符号化されることによって生成されたBase view videoのストリームとDependent view videoのストリームであり、
前記設定手段は、前記サブ再生パスを指定する情報として、前記サブ再生パスの種類が、前記Dependent view videoのストリームを参照するパスであることを表す情報と、前記Dependent view videoのストリームの属性情報であるクリップ情報のファイルのファイル名とを、前記第１のフィールドに設定する
請求項１に記載の情報処理装置。
【請求項３】
前記基本ストリームと前記拡張ストリームは、それぞれ、H.264 AVC/MVCの符号化方式によってビデオストリームが符号化されることによって生成されたBase view videoのストリームとDependent view videoのストリームであり、
前記設定手段は、前記サブ再生パスを指定する情報としての前記サブ再生パスのIDと、前記Dependent view videoのストリームのトランスポートパケットのPIDとを、前記第２のフィールドに設定する
請求項１に記載の情報処理装置。
【請求項４】
情報処理装置が、
コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを設定する
ステップを含む情報処理方法。
【請求項５】
コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを設定する
ステップを含む処理をコンピュータに実行させるプログラム。
【請求項６】
コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドに設定された、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とに基づいて、前記拡張ストリームの再生を制御する制御手段を備える
再生装置。
【請求項７】
前記基本ストリームと前記拡張ストリームは、それぞれ、H.264 AVC/MVCの符号化方式によってビデオストリームが符号化されることによって生成されたBase view videoのストリームとDependent view videoのストリームであり、
前記制御手段は、前記Dependent view videoのストリームの再生を制御することを、前記PlayListの中のメイン再生パスに関する情報が記述されるフィールドに設定された、前記Base view videoのストリームを参照するメイン再生パスを指定する情報と、前記Base view videoのストリームのトランスポートパケットのPIDを指定する情報とに基づいて行われる前記Base view videoのストリームの再生の制御とともに行う
請求項６に記載の再生装置。
【請求項８】
再生装置が、
コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドに設定された、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とに基づいて、前記拡張ストリームの再生を制御する
ステップを含む再生方法。
【請求項９】
コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドに設定された、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とに基づいて、前記拡張ストリームの再生を制御する
ステップを含む処理をコンピュータに実行させるプログラム。
【請求項１０】
コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを設定する設定手段と、
前記設定手段により設定された前記拡張ストリームを参照するサブ再生パスを指定する情報と、前記拡張ストリームのトランスポートパケットのPIDを指定する情報とを記録媒体に記録させる記録制御部と
を備える記録装置。
【請求項１１】
前記基本ストリームと前記拡張ストリームは、それぞれ、H.264 AVC/MVCの符号化方式によってビデオストリームが符号化されることによって生成されたBase view videoのストリームとDependent view videoのストリームであり、
前記設定手段は、前記サブ再生パスを指定する情報として、前記サブ再生パスの種類が、前記Dependent view videoのストリームを参照するパスであることを表す情報と、前記Dependent view videoのストリームの属性情報であるクリップ情報のファイルのファイル名とを、前記第１のフィールドに設定する
請求項１０に記載の記録装置。
【請求項１２】
前記基本ストリームと前記拡張ストリームは、それぞれ、H.264 AVC/MVCの符号化方式によってビデオストリームが符号化されることによって生成されたBase view videoのストリームとDependent view videoのストリームであり、
前記設定手段は、前記サブ再生パスを指定する情報としての前記サブ再生パスのIDと、前記Dependent view videoのストリームのトランスポートパケットのPIDとを、前記第２のフィールドに設定する
請求項１０に記載の記録装置。
【請求項１３】
記録装置が、
コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを設定し、
設定された前記拡張ストリームを参照するサブ再生パスを指定する情報と、前記拡張ストリームのトランスポートパケットのPIDを指定する情報とを記録媒体に記録させる
ステップを含む記録方法。
【請求項１４】
コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報と
を含むデータ構造のデータが記録された記録媒体。
【手続補正２】
【補正対象書類名】明細書
【補正対象項目名】発明の名称
【補正方法】変更
【補正の内容】
【発明の名称】情報処理装置および情報処理方法、再生装置および再生方法、プログラム、記録装置および記録方法、並びに記録媒体
【手続補正３】
【補正対象書類名】明細書
【補正対象項目名】０００１
【補正方法】変更
【補正の内容】
【０００１】
本発明は、情報処理装置および情報処理方法、再生装置および再生方法、プログラム、記録装置および記録方法、並びに記録媒体に関し、特に、3D画像のコンテンツを適切に再生することができるようにした情報処理装置および情報処理方法、再生装置および再生方法、プログラム、記録装置および記録方法、並びに記録媒体に関する。
【手続補正４】
【補正対象書類名】明細書
【補正対象項目名】００１０
【補正方法】変更
【補正の内容】
【００１０】
本発明の第１の側面の情報処理装置は、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを設定する設定手段を備える。
【手続補正５】
【補正対象書類名】明細書
【補正対象項目名】００１３
【補正方法】変更
【補正の内容】
【００１３】
本発明の第１の側面の情報処理方法は、情報処理装置が、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを設定するステップを含む。
【手続補正６】
【補正対象書類名】明細書
【補正対象項目名】００１４
【補正方法】変更
【補正の内容】
【００１４】
本発明の第１の側面のプログラムは、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを設定するステップを含む処理をコンピュータに実行させる。
【手続補正７】
【補正対象書類名】明細書
【補正対象項目名】００１５
【補正方法】変更
【補正の内容】
【００１５】
本発明の第２の側面の再生装置は、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドに設定された、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とに基づいて、前記拡張ストリームの再生を制御する制御手段を備える。
【手続補正８】
【補正対象書類名】明細書
【補正対象項目名】００１７
【補正方法】変更
【補正の内容】
【００１７】
本発明の第２の側面の再生方法は、再生装置が、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドに設定された、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とに基づいて、前記拡張ストリームの再生を制御するステップを含む。
【手続補正９】
【補正対象書類名】明細書
【補正対象項目名】００１８
【補正方法】変更
【補正の内容】
【００１８】
本発明の第２の側面のプログラムは、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドに設定された、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とに基づいて、前記拡張ストリームの再生を制御するステップを含む処理をコンピュータに実行させる。
【手続補正１０】
【補正対象書類名】明細書
【補正対象項目名】００１９
【補正方法】変更
【補正の内容】
【００１９】
本発明の第２の側面においては、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とが設定される。
【手続補正１１】
【補正対象書類名】明細書
【補正対象項目名】００２０
【補正方法】変更
【補正の内容】
【００２０】
本発明の第２の側面においては、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドに設定された、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とに基づいて、前記拡張ストリームの再生が制御される。
本発明の第３の側面の記録装置は、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを設定する設定手段と、前記設定手段により設定された前記拡張ストリームを参照するサブ再生パスを指定する情報と、前記拡張ストリームのトランスポートパケットのPIDを指定する情報とを記録媒体に記録させる記録制御部とを備える。
前記基本ストリームと前記拡張ストリームは、それぞれ、H.264 AVC/MVCの符号化方式によってビデオストリームが符号化されることによって生成されたBase view videoのストリームとDependent view videoのストリームであり、前記設定手段は、前記サブ再生パスを指定する情報として、前記サブ再生パスの種類が、前記Dependent view videoのストリームを参照するパスであることを表す情報と、前記Dependent view videoのストリームの属性情報であるクリップ情報のファイルのファイル名とを、前記第１のフィールドに設定することができる。
前記基本ストリームと前記拡張ストリームは、それぞれ、H.264 AVC/MVCの符号化方式によってビデオストリームが符号化されることによって生成されたBase view videoのストリームとDependent view videoのストリームであり、前記設定手段は、前記サブ再生パスを指定する情報としての前記サブ再生パスのIDと、前記Dependent view videoのストリームのトランスポートパケットのPIDとを、前記第２のフィールドに設定することができる。
本発明の第３の側面の記録方法は、記録装置が、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを設定し、設定された前記拡張ストリームを参照するサブ再生パスを指定する情報と、前記拡張ストリームのトランスポートパケットのPIDを指定する情報とを記録媒体に記録させるステップを含む。
本発明の第３の側面においては、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とが設定され、設定された前記拡張ストリームを参照するサブ再生パスを指定する情報と、前記拡張ストリームのトランスポートパケットのPIDを指定する情報とが記録媒体に記録される。
本発明の第４の側面の記録媒体には、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを含むデータ構造のデータが記録される。
本発明の第４の側面においては、コンテンツの再生を制御する情報であるPlayListの拡張フィールドの中に定義された、サブ再生パスに関する情報が記述されるフィールドである第１のフィールドと、ストリーム番号に関する情報が記述されるフィールドである第２のフィールドを用いて、所定の符号化方式でビデオストリームが符号化されることによって生成された基本ストリームと拡張ストリームのうちの、前記拡張ストリームを参照するサブ再生パスを指定する情報と、前記拡張ストリームのトランスポートパケットのPIDを指定する情報とを含むデータ構造のデータが記録される。